(57)【要約】【課題】高速大容量の通信をする際、伝送速度の向上を図ることを目的とするネットワークシステムを提供する。【解決手段】光ファイバ束３０１〜３０３の一方を、それぞれ光学的に接続する光スイッチ装置１００と、光ファイバ束３０１の他方のそれぞれと接続され、それぞれ相互に、光スイッチ装置１００により光学的に接続された直通光チャネルを介して通信する通信端末１〜３と、イーサネット（登録商標）ＬＡＮ５００を介して、光スイッチ装置１００および通信端末１〜３のそれぞれと接続され、通信端末１〜３からの直通光チャネル設定要求に応じて光スイッチ装置１００を制御する制御装置２００を備えることを特徴とするネットワークシステムを提供する。【選択図】図１
2010011351.tif 000002
【特許請求の範囲】
【請求項１】
制御装置と光スイッチ装置とが接続され、複数の端末装置が複数の光ファイバが束ねられた光ファイバ束を介して前記光スイッチ装置にそれぞれ接続されるとともに、前記制御装置と前記光スイッチ装置あるいは前記端末装置、および前記端末装置同士が、前記光ファイバ束とは別のネットワークを介して通信可能なネットワークシステムであって、
前記制御装置は、
前記別のネットワークを介して、前記端末装置から送信される通信先の端末装置を識別する宛先端末識別情報と直通光チャネルの設定要求とを含む要求信号を受信する要求信号受信部と、
前記要求信号受信部が受信した宛先端末識別情報と前記要求を行った端末装置を識別する通信元端末識別情報に基づいて、前記光スイッチ装置と前記通信元の端末装置とを接続する光ファイバ束のうち通信に用いる第１の光ファイバを特定する第１の光ファイバ指定情報と、前記光スイッチ装置と前記通信先の端末装置とを接続する光ファイバ束のうち通信に用いる第２の光ファイバを指定する第２の光ファイバ指定情報と、を含む制御データを生成する制御データ生成部と、
前記制御データ生成部が生成した制御データを前記光スイッチ装置に送信する制御データ送信部と、を有し、
前記光スイッチ装置は、
前記制御装置から送信される制御データを受信する制御データ受信部と、
前記制御データ受信部が受信した制御データに基づいて、前記第１の光ファイバと前記第２の光ファイバとを光学的に接続する光スイッチ部と
を有することを特徴とするネットワークシステム。
【請求項２】
制御装置と光スイッチ装置とが接続され、複数のインターフェース装置が複数の光ファイバが束ねられた光ファイバ束を介して前記光スイッチ装置にそれぞれ接続されるとともに、前記制御装置と前記光スイッチ装置あるいは前記インターフェース装置、および前記インターフェース装置同士が、前記光ファイバ束とは別のネットワークを介して通信可能なネットワークシステムであって、
前記制御装置は、
前記別のネットワークを介して、前記インターフェース装置から送信される通信先のインターフェース装置を識別する宛先端末識別情報と直通光チャネルの設定要求とを含む要求信号を受信する要求信号受信部と、
前記要求信号受信部が受信した宛先端末識別情報と前記要求を行ったインターフェース装置を識別する通信元端末識別情報に基づいて、前記光スイッチ装置と前記通信元のインターフェース装置とを接続する光ファイバ束のうち通信に用いる第１の光ファイバを特定する第１の光ファイバ指定情報と、前記光スイッチ装置と前記通信先のインターフェース装置とを接続する光ファイバ束のうち通信に用いる第２の光ファイバを指定する第２の光ファイバ指定情報と、を含む制御データを生成する制御データ生成部と、
前記制御データ生成部が生成した制御データを前記光スイッチ装置に送信する制御データ送信部と、を有し、
前記光スイッチ装置は、
前記制御装置から送信される制御データを受信する制御データ受信部と、
前記制御データ受信部が受信した制御データに基づいて、前記第１の光ファイバと前記第２の光ファイバとを光学的に接続する光スイッチ部と
を有することを特徴とするネットワークシステム。
【請求項３】
前記制御装置は、
前記制御データを記憶する記憶部を有し、
前記制御データ生成部は、前記要求信号を受信すると前記記憶部を参照し、空きがある光ファイバの中から、前記第１の光ファイバと前記第２の光ファイバとを特定することを特徴とする請求項１あるいは２に記載のネットワークシステム。
【請求項４】
前記光スイッチ装置は、前記直通光チャネルの転送レートを検出し、この転送レートが所定の閾値を下回った場合、前記直通光チャネルを解放することを特徴とする請求項１あるいは２に記載のネットワークシステム。
【請求項５】
前記通信端末あるいは前記インターフェース装置は、前記直通光チャネルを介して受信もしくは送信したデータの転送レートのうち少なくとも１つを検出し、この転送レートが所定の閾値を下回った場合、前記直通光チャネルを解放することを特徴とする請求項１あるいは２に記載のネットワークシステム。
【請求項６】
前記光スイッチ装置は、波長多重伝送装置を介して前記複数の光ファイバの一端とそれぞれ接続され、
前記複数の通信端末あるいは前記複数のインターフェース装置は、それぞれ、波長多重伝送装置を介して前記光ファイバの他端と接続され、それぞれ相互に、前記波長多重伝送装置により多重化された波長を用いて、前記直通光チャネルを形成し、通信することを特徴とする請求項１ないし５のいずれか一項に記載のネットワークシステム。
【請求項７】
前記制御装置は、前記光スイッチ装置に一体的に設けられていることを特徴とする請求項１ないし６のいずれか一項に記載のネットワークシステム。
【請求項８】
前記制御装置は、前記直通光チャネルを複数設定するため、前記光スイッチ装置を制御し、
前記複数の通信端末あるいは前記複数のインターフェース装置は、それぞれ、複数のチャネルを利用して通信を行う多重／分離装置を備え、この多重／分離装置で分離した情報を設定された複数の前記直通光チャネルを介して通信することを特徴とする請求項１あるいは２に記載のネットワークシステム。
【請求項９】
前記制御装置、前記端末装置、および前記通信端末同士あるいは前記インターフェース装置同士は、それぞれ前記光ファイバ束とは別のネットワークとしてイーサネット（登録商標）を介して接続され、
前記通信端末あるいは前記インターフェース装置は、前記イーサネット（登録商標）を介して、他の前記通信端末あるいは他の前記インターフェース装置へ送信したデータ、もしくは他の前記通信端末あるいは他の前記インターフェース装置から受信したデータの転送レートを検出し、この転送レートが所定の閾値を上回った場合、前記直通光チャネルを設定することを特徴とする請求項１あるいは２に記載のネットワークシステム。
【発明の詳細な説明】
【技術分野】
【０００１】
本発明は、主に、複数のコンピュータ、その他の通信端末装置間をつなぐ、有線のネットワークシステムに関する。
【背景技術】
【０００２】
従来より、有線のローカルエリアネットワーク（Local area network）には、イーサネット（登録商標）、トークンリングなどの規格が存在している。
これらのうち、イーサネット（登録商標）は、１９９０年の１０ＢＡＳＥ−Ｔ（１０Ｇbit/s）、１９９６年の１００ＢＡＳＥ−Ｔ（１００Ｍｂｐｓ、ファスト・イーサネット（登録商標））、１９９８年の１０００ＢＡＳＥ−Ｘ／Ｔ（１Ｇbit/s、ギガビット・イーサネット（登録商標））、２００２年の１０ＧＦＢＡＳＥ−Ｘ／Ｒ／Ｗ（１０Ｇbit/s、ギガビット・イーサネット（登録商標））といったように、ＩＥＥＥ８０２委員会にて標準化された、伝送速度の異なる複数の規格が存在し、幅広く利用されている。
【０００３】
近年、コンピュータで扱うファイルサイズの更なる増大や、大容量の動画像ストリームの転送など、通信帯域のさらなる大容量化の要求が生じている。これらに応えるために、ＩＥＥＥ８０２委員会において、４０ギガビット・イーサネット（登録商標）、１００ギガビット・イーサネット（登録商標）の標準化に向けた検討が進んでいる。
イーサネット（登録商標）では物理媒体として、電気信号を伝送する同軸ケーブルやツィストペアケーブル、または光信号を伝送する光ファイバケーブルが用いられている。ＭＡＣフレームと呼ばれるイーサネット（登録商標）におけるデータ伝送単位は、これらの物理媒体上の電気信号や光信号を利用して伝送される。ＭＡＣフレームには、宛先ＭＡＣアドレスと送信元ＭＡＣアドレスの情報が含まれており、リピータハブやスイッチングハブ装置（レイヤー２スイッチとも呼ぶ）が、ＭＡＣフレームを転送（リピータハブの場合にはブロードキャスト）することにより、送信元端末から宛先端末まで、ＭＡＣアドレスが送り届けられる。
【非特許文献１】ＩＥＥＥ  Ｐ８０２．３ｂａ  ４０Ｇbit/s  ａｎｄ  １００Ｇbit/s  Ｅｔｈｅｒｎｅｔ  Ｔａｓｋ  Ｆｏｒｃｅ，インターネット<http://grouper.org/groups/802/3/ba/index.html.>
【発明の開示】
【発明が解決しようとする課題】
【０００４】
しかしながら、上述のとおり、ファイルサイズの増大や転送データの大容量化に伴い、ローカルエリアネットワークのさらなる伝送速度の向上が求められている。ＩＥＥＥ８０２委員会において進んでいる４０ギガビット・イーサネット（登録商標）、１００ギガビット・イーサネット（登録商標）の検討は、伝送速度の向上を目指している活動の実例である。しかし、高速化が進むに従ってイーサネット（登録商標）の伝送速度を向上させることは難しくなってきており、標準化作成にも長い時間を要している。
本発明は、このような事情を考慮し、上記の問題を解決すべくなされたもので、本発明にかかるネットワークシステムは、伝送速度の向上を図ることを目的とする。
【課題を解決するための手段】
【０００５】
上記問題を解決するために、本発明は、制御装置と光スイッチ装置とが接続され、複数の端末装置が複数の光ファイバが束ねられた光ファイバ束を介して前記光スイッチ装置にそれぞれ接続されるとともに、前記制御装置と前記光スイッチ装置あるいは前記端末装置、および前記端末装置同士が、前記光ファイバ束とは別のネットワークを介して通信可能なネットワークシステムであって、前記制御装置は、前記別のネットワークを介して、前記端末装置から送信される通信先の端末装置を識別する宛先端末識別情報と直通光チャネルの設定要求とを含む要求信号を受信する要求信号受信部と、前記要求信号受信部が受信した宛先端末識別情報と前記要求を行った端末装置を識別する通信元端末識別情報に基づいて、前記光スイッチ装置と前記通信元の端末装置とを接続する光ファイバ束のうち通信に用いる第１の光ファイバを特定する第１の光ファイバ指定情報と、前記光スイッチ装置と前記通信先の端末装置とを接続する光ファイバ束のうち通信に用いる第２の光ファイバを指定する第２の光ファイバ指定情報と、を含む制御データを生成する制御データ生成部と、前記制御データ生成部が生成した制御データを前記光スイッチ装置に送信する制御データ送信部と、を有し、前記光スイッチ装置は、前記制御装置から送信される制御データを受信する制御データ受信部と、前記制御データ受信部が受信した制御データに基づいて、前記第１の光ファイバと前記第２の光ファイバとを光学的に接続する光スイッチ部とを有することを特徴とするネットワークシステムである。
【０００６】
また、本発明は、制御装置と光スイッチ装置とが接続され、複数のインターフェース装置が複数の光ファイバが束ねられた光ファイバ束を介して前記光スイッチ装置にそれぞれ接続されるとともに、前記制御装置と前記光インターフェース装置、および前記インターフェース装置同士が、前記光ファイバ束とは別のネットワークを介して通信可能なネットワークシステムであって、前記制御装置は、前記別のネットワークを介して、前記インターフェース装置から送信される通信先のインターフェース装置を識別する宛先端末識別情報と直通光チャネルの設定要求とを含む要求信号を受信する要求信号受信部と、前記要求信号受信部が受信した宛先端末識別情報と前記要求を行ったインターフェース装置を識別する通信元端末識別情報に基づいて、前記光スイッチ装置と前記通信元のインターフェース装置とを接続する光ファイバ束のうち通信に用いる第１の光ファイバを特定する第１の光ファイバ指定情報と、前記光スイッチ装置と前記通信先のインターフェース装置とを接続する光ファイバ束のうち通信に用いる第２の光ファイバを指定する第２の光ファイバ指定情報と、を含む制御データを生成する制御データ生成部と、前記制御データ生成部が生成した制御データを前記光スイッチ装置に送信する制御データ送信部と、を有し、前記光スイッチ装置は、前記制御装置から送信される制御データを受信する制御データ受信部と、前記制御データ受信部が受信した制御データに基づいて、前記第１の光ファイバと前記第２の光ファイバとを光学的に接続する光スイッチ部とを有することを特徴とするネットワークシステムである。
【０００７】
また、本発明は、前記制御装置は、前記制御データを記憶する記憶部を有し、前記制御データ生成部は、前記要求信号を受信すると前記記憶部を参照し、空きがある光ファイバの中から、前記第１の光ファイバと前記第２の光ファイバとを特定することを特徴とするネットワークシステムである。
【０００８】
また、本発明は、前記光スイッチ装置は、前記直通光チャネルの転送レートを検出し、この転送レートが所定の閾値を下回った場合、前記直通光チャネルを解放することを特徴とするネットワークシステムである。
【０００９】
また、本発明は、
前記通信端末あるいは前記インターフェース装置は、前記直通光チャネルを介して受信もしくは送信したデータの転送レートのうち少なくとも１つを検出し、この転送レートが所定の閾値を下回った場合、前記直通光チャネルを解放することを特徴とするネットワークシステムである。
【００１０】
また、本発明は、前記光スイッチ装置は、波長多重伝送装置を介して前記複数の光ファイバの一端とそれぞれ接続され、前記複数の通信端末あるいは前記複数のインターフェース装置は、それぞれ、波長多重伝送装置を介して前記光ファイバの他端と接続され、それぞれ相互に、前記波長多重伝送装置により多重化された波長を用いて、前記直通光チャネルを形成し、通信することを特徴とするネットワークシステムである。
【００１１】
また、本発明は、
前記制御装置は、前記光スイッチ装置に一体的に設けられていることを特徴とするネットワークシステムである。
【００１２】
また、本発明は、
前記制御装置は、前記直通光チャネルを複数設定するため、前記光スイッチ装置を制御し、前記複数の通信端末あるいは前記複数のインターフェース装置は、それぞれ、複数のチャネルを利用して通信を行う多重／分離装置を備え、この多重／分離装置で分離した情報を設定された複数の前記直通光チャネルを介して通信することを特徴とするネットワークシステムである。
【００１３】
また、本発明は、制御装置、前記端末装置、および前記通信端末同士あるいは前記インターフェース装置同士は、それぞれ前記光ファイバ束とは別のネットワークとしてイーサネット（登録商標）を介して接続され、前記通信端末あるいは前記インターフェース装置は、前記イーサネット（登録商標）を介して、他の前記通信端末あるいは他の前記インターフェース装置へ送信したデータ、もしくは他の前記通信端末あるいは他の前記インターフェース装置から受信したデータの転送レートを検出し、この転送レートが所定の閾値を上回った場合、前記直通光チャネルを設定することを特徴とするネットワークシステムである。
【発明の効果】
【００１４】
本発明によれば、伝送速度の大きい通信を優先的に光ファイバで通信することができるため、イーサネット（登録商標）を利用した場合に比べ伝送速度の向上を図ることができる。この場合、伝送速度の小さい通信はイーサネット（登録商標）により通信することも可能なため、いたずらに光ファイバを占有してしまう事態を回避できる。
また、この伝送速度の大きい通信をする際、この通信のために占有できる直通光チャネルを独占的に適用するため、伝送速度の向上を図ることができる。
さらに、直通光チャネルでのデータ伝送により、通信端末は、ＭＡＣフレームのバッファリングや転送先を定めるためのＭＡＣアドレスの読取・転送処理等を一切行う必要がないため、これら処理により生じる伝送遅延を回避することができる。
【発明を実施するための最良の形態】
【００１５】
以下、本発明の一実施形態によるネットワークシステムについて図面を参照して説明する。
図１は、第１実施例にかかるネットワークシステムを示す概略ブロック図である。
図１に示すとおり、本実施の形態のネットワークシステムは、複数の通信端末（端末装置）１，２，３と、これら通信端末１〜３とそれぞれ光ファイバ束３０１、３０２、３０３を介して接続されている光スイッチ装置１００と、イーサネット（登録商標）ＬＡＮ（Ethernet Local area network）５００のイーサネット（登録商標）４０１，４０２，４０３，４１０，４２０を介して通信端末１〜３および光スイッチ装置１００と接続されている制御装置２００とを有する。
【００１６】
通信端末１は、光スイッチ装置１００との間を結ぶ光ファイバ束３０１と、通信端末２は、光スイッチ装置１００との間を結ぶ光ファイバ束３０２と、通信端末３は、光スイッチ装置１００との間を結ぶ光ファイバ束３０３とそれぞれ接続されている。通信端末１はイーサネット（登録商標）４０１を、通信端末２はイーサネット（登録商標）４０２を、通信端末３はイーサネット（登録商標）４０３をそれぞれ介して、イーサネット（登録商標）ＬＡＮ５００で接続されている。通信端末１〜３は、それぞれ固有のＭＡＣアドレスを有し、イーサネット（登録商標）ＬＡＮ５００を介して、ＭＡＣフレームを用いたデータ通信を行う。
【００１７】
光スイッチ装置１００は、制御装置２００から送信される制御データに基づき選択された光ファイバ同士を光学的に接続・解除する構成を有する。例えば、光スイッチ装置１００は、制御装置２００から通信端末１と通信端末２を接続する指示の制御テータを受信した場合、光ファイバ束３０１のうち任意の光ファイバ３０１ａと、光ファイバ束３０２のうち任意の光ファイバ３０１ｂとを光学的に接続する。すなわち、光スイッチ装置１００により、光ファイバ３０１ａと光ファイバ３０２ａとが光学的に接続された直通光チャネル６００が形成される。また上述と同様に、光スイッチ装置１００は、図示しないが、光ファイバ束３０３の任意の光ファイバと、光ファイバ３０１ａあるいは光ファイバ３０２ａとそれぞれ光学的に接続し、直通光チャネルを形成する。
【００１８】
制御装置２００は、ＣＰＵ２０１とメモリ部２０２とを含み、メモリ部２０２に格納されている本ネットワークシステムの制御データ（例えば、制御データは、光ファイバ束間の光学的な接続・解除を指示するデータであり、光ファイバ束を指定し、指定された光ファイバ束間を光学的に接続する指示、または、光ファイバ束を指定し、指定された光ファイバ束間の接続を解除する指示、を含む）や、通信端末１〜３のＭＡＣアドレス（端末識別情報）等に基づき、通信端末１〜３間の通信を制御する。制御装置２００は、直通光チャネルの設定が通信端末１〜３から要求されると、接続が要求されている送信元ＭＡＣアドレスおよび宛先ＭＡＣアドレスに対応する、光ファイバ束３０１〜３０３の光ファイバの利用状態に基づく制御データを送信し、制御データを受信した光スイッチ装置１００が、この制御データに従って光ファイバ束の接続を行う。例えば、制御装置２００は、通信端末１から通信端末２に直通光チャネルの設定要求を含む要求信号と、通信端末１から送信される通信先の通信端末２のＭＡＣアドレスを受信すると、受信した通信先の通信端末２のＭＡＣアドレス（宛先端末識別情報）と前記要求信号を送信した通信端末１のＭＡＣアドレス（通信元端末識別情報）に基づいて、光スイッチ装置１００と通信端末１とを接続する光ファイバ束３０１のうち通信に用いる光ファイバ３０１ａを特定する情報（第１の光ファイバ指定情報）と、光スイッチ装置１００と通信先の通信端末２とを接続する光ファイバ束３０２のうち通信に用いる光ファイバ３０２ｂを特定する情報（第２の光ファイバ指定情報）を含む制御データを生成し、光スイッチ装置１００に送信する。
また、本実施例において、制御装置２００は、通信端末１〜３から直通光チャネルの解放（設定解除）が要求されると、直通光チャネルを解除するための指示である制御データを光スイッチ装置１００に送信し、光スイッチ装置１００が、この制御データに従って光ファイバ束の解放を行う。
制御装置２００は、直通光チャネルの設定・解放のため光スイッチ装置１００に制御データを出力すると、これを直通光チャネルの設定・解放情報としてメモリ２０２保存し、光ファイバの利用状況を管理する。このメモリ部２０２を参照することにより、制御装置２００は、光ファイバ束３０１〜３０３を構成する複数の光ファイバのうち、直通光チャネルとして利用されている光ファイバと、利用されていない光ファイバとを認識することができる。
【００１９】
光ファイバ束３０１〜３０３は、それぞれ複数の光ファイバから構成された光ファイバの束である。本実施の形態において、光ファイバ束３０１〜３０３は、複数の１０Ｇbit/sのイーサネット（登録商標）光ファイバケーブルが用いられている。
イーサネット（登録商標）ＬＡＮ５００は、（１）通信端末１〜３と制御装置２００との間で制御信号のやりとりをすること、（２）制御装置２００と光スイッチ装置１００との間で制御信号のやりとりをすることに加えて、（３）端末装置相互間の通信を行うことも行う。
【００２０】
次に、通信端末１から通信端末２にデータ通信を行う際のデータ伝送方法の一例について以下説明する。
通信端末１は、高速大容量の通信をする場合（例えば高精細映像ストリームの送受信、大規模ファイルの転送など）、イーサネット（登録商標）ＬＡＮ５００を介して制御装置２００に、直通光チャネルの設定を要求する。制御装置２００は、直通光チャネル設定の要求に基づき、通信端末１と通信端末２とを接続する光ファイバ束３０１、３０２の光ファイバの利用状態をメモリ部２０２を参照することによって検出する。ここでは利用されていない光ファイバを検出される。
【００２１】
利用されていない光ファイバ３０１ａ、３０２ａが検出され直通光チャネルが設定可能な場合、制御装置２００は、光ファイバ３０１ａと光ファイバ３０２ａを光学的に接続するための制御データを光スイッチ装置１００に出力する。光スイッチ装置１００は、この制御データに基づき光ファイバ３０１ａ，３０２ａを光学的に接続する。これにより、端末装置１，２との間に直通光チャネル６００が設定される。制御装置２００は、直通光チャネル６００が設定されると、この直通光チャネル６００として選択された光ファイバを特定する情報をメモリ２０２に記録し、その旨を通信端末１および通信端末２に通知する。通信端末１は、制御装置２００からの直通光チャネル設定の通知を受け、伝送データ（ＭＡＣアドレスを含むＭＡＣフレーム、以下ＭＡＣフレームと呼称する）を直通光チャネル６００を介して通信端末２に送信する。
【００２２】
通信端末１は、ＭＡＣフレームの送信が終了すると、直通光チャネルの解放を制御装置２００に要求する。制御装置２００は、解放要求に基づき光スイッチ装置１００を制御し、直通光チャネルを解放する。これと同時に、制御装置２００は、解放された光ファイバを特定する情報をメモリ２００に記録する。
【００２３】
一方、すべての光ファイバが利用されており直通光チャネルが設定できない場合、制御装置２００はその旨を通信端末１に通知する。この場合、通信端末１は、ＭＡＣフレームをイーサネット（登録商標）４２０、イーサネット（登録商標）ＬＡＮ５００、およびイーサネット（登録商標）４０２を介して通信端末２に伝送することができる。
【００２４】
この構成により、伝送速度の大きいデータを優先的に光ファイバにより伝送することができるため、イーサネット（登録商標）を利用した場合に比べ伝送速度の向上を図ることができる。この場合、伝送速度の小さいデータはイーサネット（登録商標）により伝送されるため、いたずらに光ファイバを占有してしまう事態を回避できる。そして、例えば１０ギガビット・イーサネット（登録商標）のプロトコルスタックのＭＡＣフレームのような伝送速度の大きい通信を行う場合、この伝送のために直通光チャネルを占有して利用することができ、大きいデータを伝送する際に生じやすい伝送遅延を最小限に抑えることができる。
また、直通光チャネルでのデータ伝送により、通信端末１は、ＭＡＣフレームのバッファリングや転送先を定めるためのＭＡＣアドレスの読取・転送処理等を一切行う必要がないため、これら処理により生じる伝送遅延を回避することができる。
【００２５】
なお、本実施の形態において、通信端末１〜３は、伝送速度の大きいデータとして、例えば１０Ｇbit/s以上のデータを伝送する場合、直通光チャネル設定を要求することができる。
また、本実施の形態において、光ファイバ束３０１〜３０３は、直通光チャネル上にイーサネット（登録商標）プロトコルによりＭＡＣフレームを伝送する例について説明したが、本発明はこれに限られず、直通光チャネルにより接続された端末１〜３が、イーサネット（登録商標）のＭＡＣフレームを用いないプロトコル（例えば、ＩＥＥＥ１３９４の光接続のフレームフォーマット）により伝送する構成であってもよい。
【００２６】
図２は、第２実施例にかかるネットワークシステムを示す概略ブロック図である。なお、以下全ての実施例において、第１実施例と同様の構成・機能を有する構成部分においては、図１に示す符号と同一の符号を用いることにより、詳細な説明は省略する。
図２に示すとおり、本実施の形態のネットワークシステムは、複数のＩＦ（Inter face；インターフェース）装置２１，２２，２３と、これらＩＦ装置２１〜２３とそれぞれ光ファイバ束３０１〜３０３を介して接続されている光スイッチ装置１００と、イーサネット（登録商標）ＬＡＮ５００のイーサネット（登録商標）４０１〜４０３，４１０，４２０を介してＩＦ装置２１〜２３および光スイッチ装置１００と接続されている制御装置２００を有する。
【００２７】
ＩＦ装置２１，２３は、それぞれＰＣ（Personal computer）１１，１３と接続され、ＩＦ装置２２は、サーバ１２と接続されている。ＰＣ１１，１３とサーバ１２は、それぞれ固有のＭＡＣアドレスを有し、イーサネット（登録商標）ＬＡＮ５００を介して、ＭＡＣフレームを用いたデータ通信を行う。
【００２８】
次に、ＰＣ１１からサーバ１２にデータ通信する際の伝送方法の一例について以下説明する。
ＰＣ１１は、高速大容量の通信をする場合、ＩＦ装置２１とＩＦ装置２２との間に直通光チャネルを設定するため、制御装置２００に直通光チャネル設定を要求する。
制御装置２００は、直通光チャネル設定の要求に基づき、送信元であるＩＦ装置２１と送信先のＩＦ装置２２とを接続する光ファイバ束３０１、３０２の利用状況をメモリ部２０２（図１参照）を参照することによって検出する。ここでは利用されていない光ファイバが検出される。
【００２９】
利用されていない光ファイバ３０１ａ、３０２ａが検出され直通光チャネルが設定可能な場合、制御装置２００は、光ファイバ３０１ａと光ファイバ３０２ａを光学的に接続するための制御データを光スイッチ装置１００に出力する。光スイッチ装置１００は、この制御データに基づき光ファイバ３０１ａ，３０２ａを光学的に接続し、直通光チャネル６００が設定される。制御装置２００は、直通光チャネル６００が設定されると、この設定された光ファイバを特定する情報をメモリ２０２に記録し、その旨をＩＦ装置２１およびＩＦ装置２２に通知する。ＩＦ装置２１は、制御装置２００からの直通光チャネル設定の通知、すなわち、直通光チャネルに対応付けられた送信元ＭＡＣアドレスと宛先ＭＡＣアドレスを特定するための情報（ここではＰＣ１１とサーバ１２とのＭＡＣアドレスの対応付け情報）が制御装置２００から通知される。ＩＦ装置２１は、このＭＡＣアドレスの対応付け情報に基づき、ＰＣ１１から受信したＭＡＣフレームを直通光チャネル６００を介してＩＦ装置２２に送信する。これにより、サーバ１２のＭＡＣアドレスに従って、サーバ１２に、ＩＦ装置２２を介してＭＡＣフレームが送信される。
ＩＦ装置２１は、ＭＡＣフレームの送信が終了すると、直通光チャネルの解放を制御装置２００に要求する。制御装置２００は、解放要求に基づき光スイッチ装置１００を制御し、直通光チャネルを解放する。これと同時に、制御装置２００は、解放された光ファイバを特定する情報をメモリ２００に記録する。
【００３０】
一方、すべての光ファイバが利用されており直通光チャネルが設定できない場合、制御装置２００はその旨をＩＦ装置２１を介してＰＣ１１に通知し、ＭＡＣフレームをイーサネット（登録商標）４２０、イーサネット（登録商標）ＬＡＮ５００、イーサネット（登録商標）４０２、およびＩＦ装置２２を介して、サーバ１２に送信する。
また、サーバ１２からＰＣ１１にデータ通信する際、あるいはＰＣ１１からの要求に応じてサーバ１２からＰＣ１１にデータ通信する際においても上述同様の伝送方法を利用することができる。
【００３１】
上述のとおり、本実施の形態にかかるネットワークシステムは、ＩＦ装置２１〜２３が直通光チャネルを設定する物理的構成を備えているため、ＰＣ１１、１３およびサーバ１２にハードウェア的な改造が必要なく（既存の設備や機器を用いて）、直通光チャネルの設定・解放を制御するソフトウェアをインストールすることにより直通光チャネルの設定・解放を制御することができる。これにより、操作端末として、既存のコンピュータを幅広く利用することができ、簡単に本実施のネットワークシステムを利用することができる。
また、直通光チャネルが設定された場合、ＩＦ装置２１〜２３は、ＭＡＣフレームのバッファリングや転送先を定めるためのＭＡＣアドレスの読取・転送処理等を一切行う必要がないため、これら処理により生じる伝送遅延を回避することができる。
【００３２】
図３は、第３実施例にかかるネットワークシステムを示す概略ブロック図である。
図３に示すとおり、本実施の形態のネットワークシステムは、複数の通信端末１〜３と、これら通信端末１〜３とそれぞれ光ファイバ束３０１〜３０３を介して接続されている光スイッチ装置７００と、イーサネット（登録商標）ＬＡＮ５００のイーサネット（登録商標）４０１，４０２，４０３，４１０，４２０を介して通信端末１〜３および光スイッチ装置７００と接続されている制御装置２００とを有する。
【００３３】
光スイッチ装置７００は、ＣＰＵ７０１、モニタ部７０２、カウンタ部７０３、メモリ部７０４、およびスイッチ部７０４を有する。
モニタ部７０２は、各直通光チャネルの転送レートを検出する。例えば、モニタ部７０２は、光スイッチ装置７００を通過する光信号であるＭＡＣフレームを分岐する構成（図示せず）を備え、この分岐より得られたＭＡＣフレームを受信する。モニタ部７０２は、このＭＡＣフレームに基づき、各直通光チャネルの転送レートを検出する。なお、分岐されたもう一方は、直通光チャネルを介して送信先に送信される。
カウンタ部７０３は、所定の時間ごとに、モニタ部７０２により検出された転送レートを計測する。
メモリ７０４は、直通光チャネルを解放するための転送レートの閾値Ｔｈ１を含むテーブル１を予め保持している。
ＣＰＵ７０１は、テーブル１に基づき、カウンタ部７０３により計測された転送レートが閾値Ｔｈ１を下回った否かに応じて、直通光チャネルの利用状況を判断する。ＣＰＵ７０１は、転送レートが閾値Ｔｈ１以下の場合、設定されている直通光チャネルを解放するようスイッチ部７０５を制御し、解放された直通光チャネルを特定する情報とともに直通光チャネルの解放を制御装置２００に通知する。
【００３４】
この構成により、光スイッチ装置７００は、光ファイバ束３０１〜３０３の各直通光チャネルの転送レートに基づき、この検出された転送レートが閾値Ｔｈ１を下回った場合、該当する直通光チャネルを解放することができる。
制御装置２００は、直通光チャネルが解放される場合、この解放に先立って通信端末１〜３に所定の伝送速度より小さい低速データはイーサネット（登録商標）で送信するよう通知する。
【００３５】
次に、通信端末１から通信端末２にデータ通信する際の伝送方法の一例について説明する。なお、直通光チャネルの設定までは第１実施例と同様の方法が適用可能であり、同一の機能については、その説明を省略する。
光スイッチ装置７００は、光ファイバ束３０１〜３０３の各直通光チャネルの転送レートを検出する。光スイッチ装置７００は、この検出された転送レートが閾値Ｔｈ１を下回った場合、該当する直通光チャネルを解放し、その旨を制御装置２００に通知する。制御装置２００は、この通知に基づき、解放された光ファイバを特定する情報をメモリ２０２に記録する。
【００３６】
この構成により、低速信号を送信する直通光チャネルが自動的に解放されるため、通信端末１〜３からの直通光チャネルの設定要求が不要となり、システムの制御工程を簡略化することができる。また、低速信号の通信のために直通光チャネルが使用されることを回避できるため、高速信号の通信のために直通光チャネルを占有することがき、光ファイバを資源として有効に活用することができる。
【００３７】
図４は、第４実施例にかかるネットワークシステムを示す概略ブロック図である。
図４に示すとおり、本実施の形態のネットワークシステムは、複数のＩＦ装置２４，２５，２６と、これらＩＦ装置２４〜２６とそれぞれ光ファイバ束３０１〜３０３を介して接続されている光スイッチ装置１００と、イーサネット（登録商標）ＬＡＮ５００のイーサネット（登録商標）４０１〜４０３，４１０，４２０を介してＩＦ装置２４〜２６および光スイッチ装置１００と接続されている制御装置２００を有する。
【００３８】
ＩＦ装置２４，２６は、それぞれＰＣ１１，１３と接続され、ＩＦ装置２５は、サーバ１２と接続されている。
ＩＦ装置２４は、ＣＰＵ２４１、カウンタ部２４２、メモリ部２４３を備える。
カウンタ部２４２は、直通光チャネルを介してＩＦ装置２４が送信したデータの転送レート、あるいは、直通光チャネルを介してＩＦ装置２４が受信したデータの転送レートのうち少なくとも一方を計測する。例えば、カウンタ部２４２は、単位時間に送信したデータを計測し、転送レートを計測する構成を有する。
メモリ部２４３は、直通光チャネルを解放するための転送レートの閾値Ｔｈ２を含むテーブル２を予め保持している。
ＣＰＵ２４１は、テーブル２に基づき、カウンタ部２４２により計測された転送レートが閾値Ｔｈ２を下回った否かに応じて、直通光チャネルの利用状況を判断する。ＣＰＵ２４１は、転送レートが閾値Ｔｈ２以下の場合、設定されている直通光チャネルを解放するよう制御装置２００に通知する。この構成により、ＩＦ装置２４は、直通光チャネルで送信されるＭＡＣフレームの転送レートに基づき、この転送レートが閾値Ｔｈ１を下回った場合、該当する直通光チャネルの解放を要求することができる。
ＩＦ装置２５、２６もそれぞれ、ＩＦ装置２４と同様にＣＰＵ、カウンタ部、メモリ部を備え、同様の構成・機能を有する。
【００３９】
次に、ＰＣ１１からサーバ１２にデータ通信する際の伝送方法の一例について説明する。なお、直通光チャネルの設定までは第２実施例と同様の方法が適用可能であり、同一の機能についてはその説明を省略する。
ＩＦ装置２４は、直通光チャネル６００を介して受信した転送レートを検出し、この検出された転送レートが閾値Ｔｈ２を下回っているか否かを判断する。ＩＦ装置２４は、転送レートが閾値Ｔｈ２を下回った場合、制御装置２００に直通光チャネル６００の解放を通知する。制御装置２００は、この通知に基づき光スイッチ装置１００を制御し、直通光チャネルを解放し、解放された光ファイバを特定する情報をメモリ２０２に記録する。
【００４０】
この構成により、低速信号を送信する直通光チャネルが自動的に解放されるため、ＩＦ装置２４〜２６からの直通光チャネルの設定要求が不要となり、システムの制御工程を簡略化することができる。また、低速信号の通信のために直通光チャネルが使用されることを回避できるため、高速信号の通信のために直通光チャネルを占有することがき、光ファイバを資源として有効に活用することができる。
【００４１】
図５は、第５実施例にかかるネットワークシステムを示す概略ブロック図である。
図５に示すとおり、本実施の形態のネットワークシステムは、複数の通信端末４，５，６と、これら通信端末４〜６とそれぞれ光ファイバ束３０１〜３０３を介して接続されている光スイッチ装置１００と、イーサネット（登録商標）ＬＡＮ５００のイーサネット（登録商標）４０１〜４０３，４１０，４２０を介して通信端末４〜６および光スイッチ装置１００と接続されている制御装置２００を有する。
【００４２】
通信端末４は、ＣＰＵ４１、カウンタ部４２、メモリ部４３を備える。
カウンタ部４２は、送信先のＭＡＣアドレスごとに、通信端末１が送信するＭＡＣフレームの転送レートを測定する。
メモリ部４３は、直通光チャネルを設定するための転送レートの閾値Ｔｈ３を含むテーブル３を、予め保持している。
ＣＰＵ４１は、テーブル３を用いて、転送レートが閾値Ｔｈ３を上回ったか否かを判断する。転送レートが閾値Ｔｈ３以上となった場合、ＣＰＵ４１は、この転送レートに応じた送信先のＭＡＣアドレスとの直通光チャネルの設定を制御装置２００に要求する。
通信端末５，６もそれぞれ、通信端末４と同様にＣＰＵ、カウンタ部、メモリ部を備え、同様の構成・機能を有する。
通信端末４〜６は、それぞれ固有のＭＡＣアドレスを有し、イーサネット（登録商標）ＬＡＮ５００を介して、ＭＡＣフレームを用いたデータ通信を行う。
【００４３】
次に、通信端末４から通信端末５にデータ通信する際の伝送方法の一例について説明する。
通信端末４は、送信するＭＡＣフレームの転送レートを検出し、この検出された転送レートが閾値Ｔｈ３以上であるか否かを判断する。転送レートが閾値Ｔｈ３以上の場合、通信端末４は、通信端末５との直通光チャネルの設定を制御装置２００に要求する。制御装置２００は、直通光チャネル設定の要求に基づき、通信端末４と通信端末５とを接続する光ファイバ束３０１、３０２の光ファイバの利用状態をメモリ部２０２（図１参照）を参照することによって検出する。ここでは利用されていない光ファイバが検出される。
【００４４】
利用されていない光ファイバ３０１ａ、３０２ａが検出され直通光チャネルが設定可能な場合、制御装置２００は、光ファイバ３０１ａと光ファイバ３０２ａを光学的に接続するための制御データを光スイッチ装置１００に出力する。光スイッチ装置１００は、この制御データに基づき光ファイバ３０１ａ，３０２ａを光学的に接続する。これにより、端末装置１，２との間に直通光チャネル６００が設定される。制御装置２００は、直通光チャネル６００が設定されると、この設定された光ファイバを特定する情報をメモリ２０２に記録し、その旨を通信端末４および通信端末５に通知する。通信端末４は、制御装置２００からの直通光チャネル設定の通知を受け、直通光チャネル６００を介してＭＡＣフレームを通信端末５に送信する。
なお、直通光チャネルの解放方法と直通光チャネルが設定できない場合の動作方法は第１実施例と同様の方法を適用することができるため、同一の機能についてはその説明を省略する。
【００４５】
本実施の形態において、送信側の通信端末で検出される送信先のＭＡＣアドレスに応じたＭＡＣフレームの転送レートに基づき直通光チャネル６００を設定する方法について説明したが、本発明はこれに限られず、例えば、受信側の通信端末で検出される送信元のＭＡＣアドレスに応じたＭＡＣフレームの転送レートに基づき直通光チャネル６００を設定する方法を適用することができる。
この構成により、高速大容量の通信をする場合、直通光チャネルが自動的に設定されるため、通信端末４〜６からの直通光チャネルの設定要求が不要となり、通信端末４〜６に予め直通光チャネルを設定すべきアプリケーションを認識しておく必要がない。
【００４６】
図６は、第６実施例にかかるネットワークシステムを示す概略ブロック図である。
図６に示すとおり、本実施の形態のネットワークシステムは、図１に示した第１実施例のイーサネット（登録商標）ＬＡＮ５００に代えて、複数のイーサネット（登録商標）ＬＡＮ５０１，５０２，５０３からなるイーサネット（登録商標）ＬＡＮ５０４を備える。なお、それ以外の構成・機能においては、第１実施例と同様であり、図１に示す符号と同一の符号を用いることにより同一の機能についてはその説明を省略する。
イーサネット（登録商標）ＬＡＮ５０１，５０２は、ＩＰルータ８０１により、イーサネット（登録商標）ＬＡＮ５０２，５０３は、ＩＰルータ８０２によりそれぞれ接続されている。通信端末１はイーサネット（登録商標）４０１を介して、通信端末２はイーサネット（登録商標）４０２を介して、通信端末３はイーサネット（登録商標）４０３を介して、光スイッチ装置１００はイーサネット（登録商標）４１０を介して、制御装置２００はイーサネット（登録商標）４２０を介して、それぞれイーサネット（登録商標）ＬＡＮ５０４で接続されている。
【００４７】
この構成のとおり、本実施例のネットワークシステムは、例えば企業などのＬＡＮに適用されているイントラネットにおいても、第１実施例で説明したような直通光チャネルを利用したネットワークシステムを適用することができる。なお、通信端末１は、制御装置２００から直通光チャネルが設定できない旨の通知を受けた場合、送信データをこのイントラネットを介して通信端末２に送信することができる。
なお、上記には第１実施例のイーサネット（登録商標）ＬＡＮ５００に代えて、複数のイーサネット（登録商標）ＬＡＮを利用可能な例を説明したが、本発明はこれに限られず、本発明の実施例で利用している全てのイーサネット（登録商標）ＬＡＮ５００に代えて適用することができる。
【００４８】
図７は、第７の実施例にかかるネットワークシステムを示す概略ブロック図である。
図７に示すとおり、本実施の形態のネットワークシステムは、複数の通信端末１〜３と、これら通信端末１〜３とそれぞれ光ファイバ３１０〜３３０を介して接続されている光スイッチ装置１００と、イーサネット（登録商標）ＬＡＮ５００およびイーサネット（登録商標）４０１，４０２，４０３，４１０，４２０を介して通信端末１〜３および光スイッチ装置１００と接続されている制御装置２００とを有する。
【００４９】
通信端末１〜３は、それぞれ、ＷＤＭ多重分離装置（波長多重伝送装置）９０１、９０２、９０３を介して光ファイバ３１０〜３３０と接続されている。
光スイッチ１００は、それぞれ、ＷＤＭ多重分離装置９０４，９０５，９０６を介して光ケーブル３１０〜３３０と接続されている。
ＷＤＭ多重分離装置９０１〜９０６は、受信した複数の光信号をＷＤＭ信号として多重化して送信する多重機能と、受信したＷＤＭ信号を複数の光信号に分離して送信する分離機能を備える。
光ファイバ３１０〜３３０はそれぞれ一本の光ファイバであって、ＷＤＭ多重分離装置９０１〜９０３により多重された複数の光信号であるＷＤＭ信号を伝送する。
【００５０】
光スイッチ装置１１０は、制御装置２００からの制御データに基づき選択された光ファイバのチャネル同士を光学的に接続・解除する構成を有する。例えば、光スイッチ装置１１０は、制御装置２００により通信端末１と通信端末２を接続するよう制御された場合、光ファイバ３１０のうち任意のチャネル３１０ａと、光ファイバ３２０のうち任意のチャネル３２０ａとを光学的に接続する。すなわち、光スイッチ装置１００により、光ファイバ３１０，３２０とのチャネルが光学的に接続された直通光チャネル６１０が形成される。また上述と同様に、光スイッチ装置１１０は、図示しないが、光ファイバ３３０の任意のチャネルと、光ファイバ３１０あるいは光ファイバ３２０のチャネルとそれぞれ光学的に接続し、直通光チャネルを形成する。
【００５１】
制御装置２００は、図示しないが、図１を用いて第１実施例において説明した構成と同様、ＣＰＵ２０１とメモリ部２０２とを含む。制御装置２００は、直通光チャネルの設定が通信端末１〜３から要求されると、接続が要求されている送信元ＭＡＣアドレスおよび宛先ＭＡＣアドレスに対応する、光ファイバ３１０〜３３０のチャネルの利用状態に基づき光スイッチ装置１１０を制御する。また、制御装置２００は、第１実施例と同様、直通光チャネルの設定・解放情報をメモリ２０２に保存し、光ファイバの利用状況を管理している。これにより、制御装置２００は、光ファイバ３１０〜３３０のうち、直通光チャネルとして利用されているチャネルと、利用されていないチャネルを検出することができる。
【００５２】
次に、通信端末１から通信端末２にデータ通信をする際の伝送方法の一例について説明する。
通信端末１は、高速大容量の通信をする場合、イーサネット（登録商標）ＬＡＮ５００を介して制御装置２００に、直通光チャネルの設定を要求する。制御装置２００は、直通光チャネル設定の要求に基づき、通信端末１と通信端末２とを接続する光ファイバ３１０、３２０のチャネルの利用状態をメモリ部２０２（図１参照）を参照することによって検出する。ここでは利用されていない光ファイバが検出される。
【００５３】
利用されていないチャネルが検出され直通光チャネルが設定可能な場合、制御装置２００は、光ファイバ３１０のチャネル３１０ａと光ファイバ３２０のチャネル３２０ａを光学的に接続するための制御データを光スイッチ装置１１０に出力する。光スイッチ装置１１０は、この制御データに基づきチャネル３１０ａ，３２０ａを光学的に接続する。これにより、端末装置１，２との間に直通光チャネル６１０が設定される。制御装置２００は、直通光チャネル６１０が設定されると、この設定されたチャネルを特定する情報をメモリ２０２に記録し、その旨を通信端末１および通信端末２に通知する。
通信端末１は、制御装置２００からの直通光チャネル設定の通知を受け、ＭＡＣフレームをＷＤＭ多重分離装置９０１を介してＷＤＭ信号に変換し、直通光チャネル６１０に出力する。光ファイバ３１０内の直通光チャネル６１０を通過したＷＤＭ信号は、ＷＤＭ多重分離装置９０４で光信号に変換され、光スイッチ装置１１０で設定されている直通光チャネル６１０を通過し、ＷＤＭ多重分離装置９０５に出力される。ＷＤＭ多重分離装置９０５は、受信した光信号をＷＤＭ信号に変換し、光ファイバ３２０内の直通光チャネル６１０を介してＷＤＭ多重分離装置９０２に出力する。ＷＤＭ多重分離装置９０２は、受信したＷＤＭ信号を通信端末２に出力する。
【００５４】
通信端末１は、ＭＡＣフレームの送信が終了すると、直通光チャネルの解放を制御装置２００に要求する。制御装置２００は、解放要求に基づき光スイッチ装置１１０を制御し、直通光チャネルを解放する。これと同時に、制御装置２００は、解放されたチャネルを特定する情報をメモリ２０２に記録する。
【００５５】
一方、すべての光ファイバが利用されており直通光チャネルが設定できない場合、制御装置２００はその旨を通信端末１に通知する。この場合、通信端末１は、伝送データをイーサネット（登録商標）４２０、イーサネット（登録商標）ＬＡＮ５００、およびイーサネット（登録商標）４０２を介して通信端末２に伝送することができる。
上述のとおり、ＷＤＭ多重分離装置９０１〜９０６により一本の光ファイバ内に複数の波長（すなわち複数のチャネル）が多重化されることで、一本の光ファイバを用いてその中に波長多重された複数の波長を利用することができる。よって、一本の光ファイバ上の情報伝送量を飛躍的に増大させることができる。
【００５６】
図８は、第８実施例にかかるネットワークシステムを示す概略ブロック図である。
図８に示すとおり、本実施の形態のネットワークシステムは、複数の通信端末１〜３と、これら通信端末１〜３とそれぞれ光ファイバ束３０１〜３０３を介して接続されている光スイッチ装置１００と、光スイッチ装置１００と一体的に設けられた制御装置２００を備える。通信端末１〜３および光スイッチ装置１００は、イーサネット（登録商標）ＬＡＮ５００およびイーサネット（登録商標）４０１〜４０３，４１０を介してそれぞれ接続されている。
【００５７】
本実施の形態のネットワークシステムは、制御装置２００が光スイッチ装置１００と一体化されている点が第１実施例と異なることを特徴とする。それ以外は第１実施例での構成・機能を適用することができるため、同一の機能についてはその説明を省略する。
この構成により、イーサネット（登録商標）ＬＡＮ５００を構成する装置数を削減することができ、イーサネット（登録商標）ＬＡＮの構成の簡単化、およびコストの低減を実現することができる。
【００５８】
図９は、第９実施例にかかるネットワークシステムを示す概略ブロック図である。
図９に示すとおり、本実施の形態のネットワークシステムは、複数の通信端末１〜３と、これら通信端末１〜３とそれぞれ光ファイバ束３０１〜３０３を介して接続されている光スイッチ装置１００と、イーサネット（登録商標）ＬＡＮ５００のイーサネット（登録商標）４０１，４０２，４０３，４１０，４２０を介して通信端末１〜３および光スイッチ装置１００と接続されている制御装置２００とを有する。
通信端末１〜３は、複数のチャネルを利用して通信を行う多重／分離装置１００１，１００２，１００３をそれぞれ備える。多重／分離装置１００１〜１００３は、通信端末１〜３の分離指示に応じて受信した情報を複数に分離して送信し、分離された情報を受信した場合に多重化する機能を備える。
【００５９】
次に、通信端末１から通信端末２にデータ通信を行う際のデータ伝送方法の一例について以下説明する。
通信端末１は、高速大容量の通信をする場合、送信したいデータに基づき、多重／分離装置１００１において分離するデータの分離数（例えば２つ）を特定する。通信端末１は、イーサネット（登録商標）ＬＡＮ５００を介して制御装置２００に、この分離数に応じた直通光チャネルの設定を要求する。制御装置２００は、直通光チャネル設定の要求に基づき、通信端末１と通信端末２とを接続する光ファイバ束３０１、３０２の光ファイバの利用状態をメモリ２０２（図１参照）を参照することによって検出する。ここでは利用されていない光ファイバが検出される。
【００６０】
利用されていない光ファイバ３０１ａ，３０１ｂ，３０２ａ，３０２ｂが検出され直通光チャネルが設定可能な場合、制御装置２００は、光ファイバ３０１ａと光ファイバ３０２ａ、光ファイバ３０１ｂと光ファイバ３０２ｂを光学的に接続するための制御データを光スイッチ装置１００に出力する。光スイッチ装置１００は、この制御データに基づき光ファイバ３０１ａ〜３０２ｂを光学的に接続する。これにより、端末装置１，２との間に直通光チャネル６０１，６０２が設定される。制御装置２００は、直通光チャネル６０１，６０２が設定されると、この設定された光ファイバを特定する情報をメモリ２０２（図１参照）に記録し、その旨を通信端末１および通信端末２に通知する。通信端末１は、制御装置２００からの直通光チャネル設定の通知を受け、多重／分離装置１００１を介して分離された情報を直通光チャネル６０１，６０２を介して通信端末２に送信する。
【００６１】
通信端末１は、ＭＡＣフレームの送信が終了すると、直通光チャネルの解放を制御装置２００に要求する。制御装置２００は、解放要求に基づき光スイッチ装置１００を制御し、直通光チャネル６０１，６０２を解放する。これと同時に、制御装置２００は、解放された光ファイバを特定する情報をメモリ２００に記録する。
【００６２】
一方、すべての光ファイバが利用されており直通光チャネルが設定できない場合、制御装置２００はその旨を通信端末１に通知する。
この構成により、光ファイバ１本での最大伝送速度以上のデータであっても複数の光ファイバ（チャネル）を利用することで可能となり、より一層の高速大容量通信が可能となる。
【図面の簡単な説明】
【００６３】
【図１】第１実施例にかかるネットワークシステムを示す概略ブロック図である。
【図２】第２実施例にかかるネットワークシステムを示す概略ブロック図である。
【図３】第３実施例にかかるネットワークシステムを示す概略ブロック図である。
【図４】第４実施例にかかるネットワークシステムを示す概略ブロック図である。
【図５】第５実施例にかかるネットワークシステムを示す概略ブロック図である。
【図６】第６実施例にかかるネットワークシステムを示す概略ブロック図である。
【図７】第７実施例にかかるネットワークシステムを示す概略ブロック図である。
【図８】第８実施例にかかるネットワークシステムを示す概略ブロック図である。
【図９】第９実施例にかかるネットワークシステムを示す概略ブロック図である。
【符号の説明】
【００６４】
１，２，３・・・通信端末、
１００・・・光スイッチ装置、
２００・・・制御装置、
３０１、３０２、３０３・・・光ファイバ束
４０１，４０２，４０３，４１０，４２０・・・イーサネット（登録商標）
５００・・・イーサネット（登録商標）ＬＡＮ
６００・・・直通光チャネル
【図１】
2010011351.tif 000003
【図２】
2010011351.tif 000004
【図３】
2010011351.tif 000005
【図４】
2010011351.tif 000006
【図５】
2010011351.tif 000007
【図６】
2010011351.tif 000008
【図７】
2010011351.tif 000009
【図８】
2010011351.tif 000010
【図９】
2010011351.tif 000011